(57)【特許請求の範囲】
【請求項１】
人の腰に装着可能なウエストバッグと、
ファンとを備えており、
前記ウエストバッグは、人の腰に接触可能なバッグ部を有し、
前記バッグ部には、上方向の成分を含む方向に開口した排気口と、取付孔とが設けられており、前記取付孔は、下方向及び外方向の少なくとも一方の方向の成分を含む方向に開口しており、前記外方向は、前記バッグ部が人に接する方向を内方向としたとき、前記内方向の反対方向であり、
前記ファンは、前記バッグ部の前記取付孔の周縁部に固定され且つ前記取付孔から露出しており、
前記ファンが駆動することによって、空気が前記バッグ部内に導入され、前記排気口から排出される装着型送風機。
【請求項２】
請求項１記載の装着型送風機において、
前記取付孔は、前記下方向、又は、前記下方向及び前記外方向の成分を含む斜め方向に開口しており、
前記ファンは、前記取付孔から前記下方向又は前記斜め方向に露出している装着型送風機。
【請求項３】
人の腰に装着可能なウエストバッグと、
ファンとを備えており、
前記ウエストバッグは、人の腰に接触可能なバッグ部を有し、
前記バッグ部には、上方向の成分を含む方向に開口した排気口と、吸気口とが設けられており、前記吸気口は、下方向及び外方向の少なくとも一方の方向の成分を含む方向に開口しており、前記外方向は、前記バッグ部が人に接する方向を内方向としたとき、前記内方向の反対方向であり、
前記ファンは、前記バッグ部内に収容され且つ前記吸気口に対向しており、
前記ファンが駆動することによって、空気が前記吸気口から前記バッグ部内に導入され、前記排気口から排出される装着型送風機。
【請求項４】
請求項１、２又は３記載の装着型送風機において、
補強部を更に備えており、
前記バッグ部は、可撓性を有する上側部、内側部及び外側部を有しており、
前記排気口が前記バック部の前記上側部に設けられており、
前記補強部が、前記排気口の縁部に固定されている装着型送風機。
【請求項５】
請求項１、２又は３記載の装着型送風機において、
前記バッグ部は、上側部を有しており、
前記上側部は、前記内方向側の内側端部を有しており、
前記排気口は、前記上側部の前記内側端部に設けられている装着型送風機。
【請求項６】
請求項１〜５の何れかに記載の装着型送風機において、
連通孔を有する補強部を更に備えており、
前記連通孔は、前記補強部を貫通しており、
前記補強部は、前記連通孔が前記排気口に連通するように前記バッグ部に固定されている装着型送風機。
【請求項７】
請求項６記載の装着型送風機において、
補強部を更に備えており、
前記補強部は、前記バッグ部の前記上側部の前記内側端部に固定されており且つ前記内側端部に沿って延びている装着型送風機。
【請求項８】
請求項７記載の装着型送風機において、
前記バッグ部の前記上側部の前記内側端部は、前記外方向に凸の円弧状に湾曲しており、
前記補強部は、前記内側端部に沿って円弧状に湾曲している装着型送風機。
【請求項９】
請求項５、７又は８記載の装着型送風機において、
前記ファンに電気的に接続されたバッテリーを更に備えており、
前記バッテリーは、前記バッグ部内に収容され且つ前記上側部の前記内側端部に対して前記外方向側に配置されている装着型送風機。
【請求項１０】
請求項１〜９の何れかに記載の装着型送風機において、
前記ファンに電気的に接続されたバッテリーを更に備えており、
前記バッグ部は、当該バッグ部が人の腰に装着された状態で、人の腰に当接又は沿って配置される内側部を有しており、
前記バッテリーは、前記バッグ部内に収容され且つ前記内側部に沿って配置されている装着型送風機。
【請求項１１】
請求項１０記載の装着型送風機において、
前記バッグ部は、可撓性を有する上側部、内側部及び外側部を有している装着型送風機。
【請求項１２】
請求項４、１０又は１１装着型送風機において、
前記バッグ部は、底側部を更に有している装着型送風機。
【請求項１３】
請求項１〜１２の何れかに記載の装着型送風機において、
前記排気口は、前記バッグ部の前記上側部の前記内側端部の両端部に少なくとも一つずつ設けられており、且つ前記ウエストバッグが人の腰に装着された状態で、当該人の腰の両横側に配置されるようになっている装着型送風機。
【請求項１４】
請求項１〜１３の何れかに記載の装着型送風機において、
前記排気口は、メッシュ状である装着型送風機。
【発明の詳細な説明】
【技術分野】
【０００１】
本発明は、装着型送風機に関する。
【背景技術】
【０００２】
下記特許文献１及び２には従来の装着型送風機が記載されている。特許文献１記載の装着型送風機は、リング状のケースと、導入管と、ファンと、導出管とを備えている。ケースは、人の腰に外嵌可能な内部が中空の環状体であって、複数の接続孔が設けられている。導入管は、ケースの前側部に接続されている。導出管は、ケースの接続孔の何れか一つに接続されている。ファンは、ケース内に設けられている。このファンが回転することによって、空気が導入管を通じてケース内に導入され、導出管から人の汗をかく箇所に送風されるようになっている。特許文献２記載の装着型送風機は、特許文献１記載の装着型送風機から導出管が省略され、ケースの接続孔が排気口となっており、排気口から空気が、人の肌と下着との間に送り込まれるようになっている。
【先行技術文献】
【特許文献】
【０００３】
【特許文献１】実開昭５２−６５６５４号公報
【特許文献２】実開昭５２−６５６５５号公報
【発明の概要】
【発明が解決しようとする課題】
【０００４】
上記した従来の装着型送風機は、導入管がケースの前側部に接続され且つ上方に延びているため、ケースを人の腰に装着すると、導入管が人の前側に位置して邪魔になる。
【０００５】
本発明は、人に装着された状態で、人の邪魔になり難い装着型送風機を提供する。
【課題を解決するための手段】
【０００６】
本発明の一態様の装着型送風機は、人の腰に装着可能なウエストバッグと、ファンとを備えている。ウエストバッグは、人の腰に接触可能なバッグ部を有する。
【０００７】
バッグ部には、上方向の成分を含む方向に開口した排気口と、取付孔とが設けられており、内方向は、バッグ部が人に接する方向とすると良い。この取付孔は、下方向及び外方向の少なくとも一方の方向の成分を含む方向に開口した構成とすることが可能である。外方向は、内方向の反対方向である。この場合、ファンは、バッグ部の取付孔の周縁部に固定され且つ取付孔から露出しており、ファンが駆動することによって、空気がバッグ部内に導入され、排気口から排出される構成とすることが可能である。
【０００８】
このような態様の装着型送風機による場合、バッグ部に下方向及び外方向の少なくとも一方の方向の成分を含む方向に開口した取付孔が設けられている。この取付孔の周縁部にファンが固定され、取付孔から露出している。そのため、ウエストバッグが人の腰に装着された状態で、空気をバッグ部内に取り込むためのファンが、人の邪魔になることはない。
【０００９】
又は、バッグ部には、上方向の成分を含む方向に開口した排気口と、吸気口とが設けられており、吸気口は、下方向及び外方向の少なくとも一方の方向の成分を含む方向に開口した構成とすることが可能である。この場合、ファンは、バッグ部内に収容され且つ吸気口に対向しており、ファンが駆動することによって、空気が吸気口からバッグ
部内に導入され、排気口から排出される構成とすることが可能である。
【００１０】
このような態様の装着型送風機による場合、バッグ部に下方向及び外方向の少なくとも一方の方向の成分を含む方向に開口した吸気口が設けられているだけであるので、ウエストバッグが人の腰に装着された状態で、空気をバッグ部内に取り込むための吸気口が、人の邪魔になることはない。
【００１１】
取付孔は、下方向、又は、下方向及び外方向の成分を含む斜め方向に開口していても良い。この場合、ファンは、取付孔から下方向又は斜め方向に露出した構成とすることが可能である。
【００１２】
バッグ部は、上側部を有する構成とすることが可能である。上側部は、内方向側の内側端部を有しており、排気口は、上側部の内側端部に設けられた構成とすることが可能である。
【００１３】
上記した何れかの態様の装着型送風機は、補強部を更に備えた構成とすることが可能である。補強部は連通孔を有する構成とすることが可能である。連通孔は、補強部を貫通していると良い。補強部は、連通孔が排気口に連通するようにバッグ部に固定された構成とすることが可能である。
【００１４】
排気口がバッグ部の上側部の内側端部に設けている場合、補強部は、上側部の内側端部に固定されており且つ内側端部に沿って延びた構成とすることが可能である。この場合、補強部には、連通孔が設けられていても良いし、設けられていなくても良い。
【００１５】
バッグ部の上側部の内側端部は、外方向に凸の円弧状に湾曲した構成とすることが可能である。補強部は、内側端部に沿って円弧状に湾曲した構成とすることが可能である。
【００１６】
上記した何れかの装着型送風機は、ファンに電気的に接続されたバッテリーを更に備えた構成とすることが可能である。バッテリーは、バッグ部内に収容され且つ上側部の内側端部に対して外方向側に配置されていても良い。又は、バッテリーは、バッグ部内に収容され且つ内側部に沿って配置されていても良い。
【００１７】
排気口は、バッグ部の上側部の内側端部の両端部に少なくとも一つずつ設けられており、且つウエストバッグが人の腰に装着された状態で、当該人の腰の両横側に配置される構成とすることが可能である。
【００１８】
上記した何れかの排気口は、メッシュ状とすることが可能である。
【図面の簡単な説明】
【００１９】
【図１Ａ】本発明の実施例１に係る装着型送風機の正面、平面及び右側面から表した斜視図である。
【図１Ｂ】前記装着型送風機の背面、底面及び左側面から表した斜視図である。
【図１Ｃ】前記装着型送風機の背面、底面及び左側面から表した斜視図であって、ファンを取り外した状態の図である。
【図２】前記装着型送風機の補強部の斜視図である。
【図３】前記装着型送風機の図１Ａ中の模式的３−３断面図である。
【図４】前記実施例１の装着型送風機の第１設計変形例のバッグ部の平面図である。
【図５】前記第１設計変形例の前記装着型送風機の前記バッグ部の底面図である。
【図６】前記装着型送風機の図４中の模式的６−６断面図である。
【図７Ａ】前記実施例１の装着型送風機の第２設計変形例の背面、底面及び左側面から表した斜視図である。
【図７Ｂ】前記第２設計変形例の装着型送風機の正面図である。
【図７Ｃ】前記第２設計変形例の装着型送風機の背面図である。
【図７Ｄ】前記第２設計変形例の装着型送風機の平面図である。
【図７Ｅ】前記第２設計変形例の装着型送風機の底面図である。
【図７Ｆ】前記第２設計変形例の装着型送風機の右側面図である。
【図７Ｇ】前記第２設計変形例の装着型送風機の左側面図である。
【図８】本発明の実施例２に係る装着型送風機のバッグ部の正面図である。
【図９】前記装着型送風機の背面図である。
【図１０】前記装着型送風機の底面図である。
【図１１】前記装着型送風機の図９中の模式的１１−１１断面図である。
【発明を実施するための形態】
【００２０】
以下、本発明の実施例１、実施例２及びこれらの設計変形例について説明する。なお、後述する実施例及び設計変更例の各構成要素は、互いに矛盾しない限り、相互に組み合わせることが可能であることに留意されたい。また、後述する実施例の各態様及び設計変形例における装着型送風機の各構成要素を構成する素材、形状、寸法、数及び配置等はその一例を説明したものであって、同様の機能を実現し得る限り任意に設計変更することが可能である。
【実施例１】
【００２１】
以下、本発明の実施例１及びその設計変更例を含む複数の実施例に係る装着型送風機Ｄ１について、図１Ａ〜図６を参照しつつ説明する。図１Ａ〜図３には、実施例１の装着型送風機Ｄ１が示されている。図４〜図６には、実施例１の装着型送風機Ｄ１の第１設計変形例が示されている。図７Ａ〜図７Ｇには、実施例１の装着型送風機Ｄ１の第２設計変形例が示されている。実施例１の装着型送風機Ｄ１と、第２設計変形例の装着型送風機Ｄ１とは、後述するウエストバッグ１００のバッグ部１１０の外形が相違する以外、略同じ構成である。図１Ａ〜図１Ｃ、図３、図６及び図７Ａには、上方向Ｚ、下方向Ｚ’、内方向Ｙ、外方向Ｙ’が示されている。下方向Ｚ’は、上方向Ｚの反対方向であり、内方向Ｙ及び外方向Ｙ’は、上方向Ｚ及び下方向Ｚ’に交差しており、外方向Ｙ’は内方向Ｙの反対方向である。上方向Ｚ及び下方向Ｚ’は上下方向ともいう。
【００２２】
装着型送風機Ｄ１はウエストバッグ１００を備えている（図１Ａ〜図７Ｇ参照）。ウエストバッグ１００は、人の腰に装着可能なバッグであれば良く、所謂、ウエストポーチ、ヒップバッグ及びボディバッグの何れであっても良い。ウエストバッグ１００は、バッグ部１１０及びベルト部１２１、１２２を有する構成とすることが可能である。ベルト部１２１、１２２は、バッグ部１１０の両端部から延びており、その先端部にバッグルが設けられている。バッグ部１１０を人の腰に当接させ、ベルト部１２１、１２２を人の腰に巻き付け、ベルト部１２１、１２２のバッグルを連結させることにより、ウエストバッグ１００が、人の腰に装着されるようになっている。以下、説明の便宜上、ウエストバッグ１００が人の腰に巻き付けて装着された状態を、「装着状態」という。
【００２３】
バッグ部１１０は、上側部１１１と、内側部１１２と、外側部１１３とを有している。上側部１１１、内側部１１２及び外側部１１３は、ナイロン、ビニル及び／又はポリエステル等で構成された生地、又は、糸を高密度に織り込んだ高密度織物で構成されていると良いが、これに限定されるものではない。前記生地の片面又は両面には、ポリウレタン系樹脂（例えば、熱可塑性ポリウレタン（ＴＰＵ（Thermoplastic Polyurethane））等）、ポリエステル系樹脂やポリテトラフルオロエチレン樹脂等の樹脂膜がコーティング又はラミネートによって形成されていても良いし、ＰＶＣ（ポリ塩化ビニル）加工が施されていても良い。上側部１１１、内側部１１２及び外側部１１３は、可撓性を有している。
【００２４】
上側部１１１及び／又は外側部１１３の引裂強度は、内側部１１２の引裂強度よりも大きくすると良く、外側部１１３の引裂強度は、上側部１１１の引裂強度と略同じ又は大きくすると良いが、これに限定されるものではない。
【００２５】
上側部１１１は、バッグ部１１０の上方向Ｚ側に位置する部分である。上側部１１１は、内方向Ｙ側の内側端部１１１ａと、外方向Ｙ’側の外側端部１１１ｂと、内側端部１１１ａと外側端部１１１ｂとの間の中間部とを有している。内側部１１２は、装着状態で人の腰に当接又は沿って配置される部分である。内側部１１２は、上端部と、下端部とを有している。内側部１１２の上端部が上側部１１１の内側端部１１１ａに縫い付け又は接着などによって接続され、内側部１１２が上側部１１１の内側端部１１１ａから垂下されている。内側部１１２の下端部の上下方向の高さ位置は、上側部１１１の外側端部１１１ｂよりも下側に位置する。外側部１１３は、上側部１１１の外側端部１１１ｂと内側部１１２の下端部とを繋いでいる。この外側部１１３は、上端部と、下端部とを有している。外側部１１３の上端部は、上側部１１１の外側端部１１１ｂに縫い付け又は接着などによって接続されている。外側部１１３の下端部は、内側部１１２の下端部に縫い付け又は接着などによって接続されている。
【００２６】
上側部１１１は、平面視において略Ｕ字状とすることが可能である（図１Ａ及び図７Ｄ参照）。この場合、内側端部１１１ａは、装着状態で人の腰に沿うように円弧状に湾曲していると良く、外側端部１１１ｂも、円弧状に湾曲していると良い。内側部１１２の上端部は上側部１１１の内側端部１１１ａの形に応じて円弧状に湾曲しており、これに伴って内側部１１２自体も上側部１１１の内側端部１１１ａの形に応じて円弧状に湾曲している。内側部１１２の下端部は、中央部が下方向Ｚ’に凸となるように膨出している。外側部１１３の上端部は、上側部１１１の外側端部１１１ｂに沿って円弧状に湾曲しており、これに伴って外側部１１３自体も上側部１１１の外側端部１１１ｂの形に応じて円弧状に湾曲している。外側部１１３の下端部は、内側部１１２の下端部の形状に沿った形状である。外側部１１３の中央部が上側部１１１の外側端部１１１ｂから内側部１１２の下端部にかけて下方向Ｚ’及び内方向Ｙの成分を含む第１斜め方向に下り傾斜している（図３、図６及び図７Ｆ〜図７Ｇ参照）。なお、上側部１１１の内側端部１１１ａの両端部は、装着状態で人の腰の両横側に配置されるようになっていても良いが、これに限定されるものではない。
【００２７】
図示しない別の態様では、上側部１１１、内側部１１２及び外側部１１３は、略矩形状とすることが可能である。この場合、内側部１１２は、内側端部１１１ａから下方向Ｚ’に垂下されており、内側部１１２の下端部の上下方向の高さ位置は、上側部１１１の外側端部１１１ｂよりも下側に位置し、且つ外側部１１３は、内側部１１２の下端部から上側部１１１の外側端部１１１ｂにかけて前記第１斜め方向に下り傾斜している。バッグ部１１０は、一対の側面部を更に有し、側面部が上側部１１１、内側部１１２及び外側部１１３によって区画される両側の開口を塞ぐように構成されている。
【００２８】
上記何れかの態様の上側部１１１には、少なくとも一つの排気口１１４が設けられている（図１Ａ、図４、図７Ｃ、図７Ｄ、図７Ｆ及び図７Ｇ参照）。少なくとも一つの排気口１１４は、装着状態で、人の上衣の前身頃及び／又は後身頃の下端より内方向Ｙ側に位置するよう、上側部１１１の内側端部１１１ａ及び／又は上側部１１１の中間部の内側端部１１１ａの内方向Ｙ側の部分に設けられていると良い（図１Ａ、図７Ｃ、図７Ｄ、図７Ｆ及び図７Ｇ参照）が、装着状態で、上側部１１１が人の上衣の前身頃及び／又は後身頃の下端より内方向Ｙ側に位置する場合には、上側部１１１の任意の箇所に設けられていていても構わない（図４参照）。少なくとも一つの排気口１１４は上側部１１１を貫通し、上方向Ｚの成分を含む方向（例えば、上方向Ｚ、上方向Ｚ及び内方向Ｙの成分を含む方向、又は、上方向Ｚ及び外方向Ｙ’の成分を含む方向等）に開口している。
【００２９】
内側端部１１１ａが円弧状に湾曲している場合、少なくとも一つの排気口１１４は、内側端部１１１ａに沿って円弧状に延びた態様とすることが可能である。内側端部１１１ａが直線状に延びている場合、少なくとも一つの排気口１１４は、内側端部１１１ａに沿って直線状に延びた形状とすることが可能である。
【００３０】
少なくとも一つの排気口１１４は、複数とすることが可能である（図１Ａ、図４、図７Ｃ、図７Ｄ、図７Ｆ及び図７Ｇ参照）。例えば、複数の排気口１１４は、上側部１１１の内側端部１１１ａの両端部に少なくとも一つずつ設けられていても良い。上側部１１１は、平面視において略Ｕ字状であり、上側部１１１の内側端部１１１ａの両端部が装着状態で人の腰の両横側に配置される場合、当該両端部に設けられた排気口１１４も、装着状態で人の腰の両横側に配置されることになる。
【００３１】
上記何れかの態様の外側部１１３の中央部には、取付孔１１５が設けられている（図１Ｃ、図３、図６及び図７Ｅ参照）。取付孔１１５は、少なくとも一つの排気口１１４よりも下方向Ｚ’側に位置している。取付孔１１５は、下方向Ｚ’及び外方向Ｙ’の成分を含む第２斜め方向に開口している。なお、この第２斜め方向が特許請求の範囲の斜め方向に相当する。
【００３２】
装着型送風機Ｄ１は、ファン２００を更に備えている。ファン２００は、回転羽２１０と、図示しないモータと、筐体２２０と、図示しない固定具とを有している。筐体２２０は、円筒部と、外側、内側ガード部と、フランジとを有している。回転羽２１０及びモータは筐体２２０内に保持されている。円筒部の外周面には、ねじ部が形成されている。円筒部の外径は、取付孔１１５の径と略同じ又は若干小さい。この円筒部が取付孔１１５内に挿入されている。フランジは、円筒部の外周面から延びており且つ外側部１１３の取付孔１１５の周縁部に外側から当接している。外側ガード部は円筒部の外側の開口を塞ぐように形成された格子である。内側ガード部は円筒部の内側の開口を塞ぐように形成された格子である。固定具は、内周面にねじ部が形成された円筒体であって、筐体２２０の円筒部に螺着し且つ外側部１１３の取付孔１１５の周縁部に内側から当接している。このようにフランジと固定具とで取付孔１１５の周縁部を挟持することによって、ファン２００が取付孔１１５の周縁部に固定されている。この固定された状態で、外側ガード部及びフランジは取付孔１１５から前記第２斜め方向に露出している。このようにしてファン２００が取付孔１１５から前記第２斜め方向に露出している。その一方で、ファン２００の円筒部、回転羽２１０、モータ及び固定具はバッグ部１１０内に収容されている。
【００３３】
回転羽２１０は、モータの回転軸に直接的又はギヤなどを介して間接的に接続され、回転可能になっている。ファン２００のモータが駆動し、回転羽２１０が回転することによって、空気がバッグ部１１０内に導入され、少なくとも一つの排気口１１４から排出される。なお、モータは、図示しないスイッチによってオン／オフされる。
【００３４】
装着型送風機Ｄ１は、バッテリー３００を更に備えていても良い。バッテリー３００がファン２００に電気的に接続されることによって、バッテリー３００からファン２００のモータに電力が供給されている。バッテリー３００は、バッグ部１１０内に収容されている。例えば、バッテリー３００は、バッグ部１１０の上側部１１１の中間部に線ファスナ１１６で開閉可能なポケット内に収容された構成とすることが可能である。この場合、バッテリー３００は、バッグ部１１０の上側部１１１の内側端部１１１ａに対して外方向Ｙ’側に配置されている（図３参照）。又は、バッテリー３００は、バッグ部１１０の内側部１１２の内面に設けられたポケット内に収容された構成とすることが可能である。この場合、バッテリー３００は、内側部１１２に沿って配置に配置されている（図６参照）。
なお、バッテリー３００は省略可能である。この場合、ファン２００を駆動させるために、外部バッテリーを使用すると良い。
【００３５】
装着型送風機Ｄ１は補強部４００を更に備えていても良い。補強部４００は、可撓性を有していても良いし、リジットであっても良い。補強部４００は、樹脂プレート、又は、バッグ部１１０の上側部１１１と同様の生地若しくは高密度織物で構成されている。樹脂プレートは、例えば、ポリ塩化ビニル（ＰＶＣ）、ポリプロピレン、ポリエチレン、ポリカーボネート、ポリエチレンテレフタレート、エチレン・酢酸ビニル共重合樹脂（ＥＶＡ樹脂）又はＡＢＳ樹脂等で構成されていると良い。補強部４００は、上側部１１１の内面の任意の箇所に固定されている。例えば、補強部４００は、内側端部１１１ａの内面に固定されており且つ内側端部１１１ａに沿って延びた構成とすることが可能である。内側端部１１１ａが円弧状に湾曲している場合、補強部４００は内側端部１１１ａに沿って円弧状に延びており（図１Ａ、図２及び図７Ｄ参照）、内側端部１１１ａが直線状に延びている場合、補強部４００は内側端部１１１ａに沿って直線状に延びていると良い。補強部４００が、補強部４００を貫通する排気口１１４と同じ数の連通孔４１０を有する構成とすることが可能である。この場合、補強部４００は、連通孔４１０が排気口１１４に連通するように、上側部１１１の内側端部１１１ａに固定されていても良いし、上側部１１１の内側端部１１１ａ以外の部分に固定されていても良い。なお、図１Ａ及び図７Ｄでは、補強部４００は、連通孔４１０が排気口１１４に連通するように上側部１１１の内側端部１１１ａに固定され且つ内側端部１１１ａに沿って円弧状に延びている。図７Ａ〜図７Ｃ及び図７Ｅ〜図７Ｇでは、補強部４００は図示省略されている。補強部４００は、省略可能である（図４〜図６参照）。連通孔４１０も省略可能である。
【００３６】
以上のような装着型送風機Ｄ１による場合、バッグ部１１０に取付孔１１５が上記第２斜め方向に開口するように設けられている。この取付孔１１５の周縁部にファン２００が固定され、取付孔１１５から露出している。そのため、装着状態で、空気をバッグ部１１０内に取り込むためのファン２００が、人の邪魔になることはない。
【００３７】
しかも、装着型送風機Ｄ１は、装着状態で、少なくとも一つの排気口１１４が、人の上衣の前身頃及び／又は後身頃の下端より内方向Ｙ側に位置し、前身頃及び／又は後身頃と人の身体との間に空気を送風するようになっている。そのため、人がどのような上衣を着ていても、装着型送風機Ｄ１は、前身頃及び／又は後身頃と人の身体との間に空気を送風することができる。また、少なくとも一つの排気口１１４が、上側部１１１の内側端部１１１ａの両端部に少なくとも一つずつ設けられており、且つ装着状態で人の腰の両横側に配置される場合、装着型送風機Ｄ１は、排気口１１４から排出される空気を人の身体の脇下に送風することできる。
【００３８】
上側部１１１の引裂強度が内側部１１２の引裂強度よりも大きい場合、上側部１１１が可撓することによって、上側部１１１の少なくとも一つの排気口１１４が潰れ、部分的又は全面的に塞がるのを抑制できる。外側部１１３の引裂強度が、内側部１１２の引裂強度よりも大きい場合、外側部１１３がファン２００を支持する一方で、内側部１１２による人に対する接触感を柔らかくすることができる。
【００３９】
また、補強部４００が設けられている場合、補強部４００によって上側部１１１の少なくとも一つの排気口１１４周りが補強されているので、上側部１１１が可撓することによって、少なくとも一つの排気口１１４が潰れ、部分的又は全面的に塞がるのを防止することができる。
【実施例２】
【００４０】
以下、本発明の実施例２及びその設計変形例を含む複数の実施例に係る装着型送風機Ｄ２について、図８〜図１１を参照しつつ説明する。図８〜図１１には、実施例２の装着型送風機Ｄ２が示されている。装着型送風機Ｄ２は、バッグ部１１０’の構成が、装着型送風機Ｄ１のバッグ部１１０の構成と相違する以外、装着型送風機Ｄ１と同様の構成である。以下、その相違点について詳しく説明し、装着型送風機Ｄ２の説明のうち、装着型送風機Ｄ１と重複するものについては省略する。なお、図１１にも、上方向Ｚ、下方向Ｚ’、内方向Ｙ、外方向Ｙ’が示されている。
【００４１】
バッグ部１１０’は、上記上側部１１１、内側部１１２及び外側部１１３に加えて、底側部１１７を有している（図８〜図１１参照）。底側部１１７も、上記した生地又は高密度織物で構成されていると良いが、これに限定されるものではない。
【００４２】
上側部１１１、外側部１１３及び／又は底側部１１７の引裂強度は、内側部１１２の引裂強度よりも大きくすると良く、底側部１１７の引裂強度は、上側部１１１及び／又は外側部１１３の引裂強度と略同じ又は大きくすると良いが、これに限定されるものではない。
【００４３】
上側部１１１は、バッグ部１１０’の上方向Ｚ側に位置する部分である。内側部１１２は、装着状態で人の腰側に当接する部分である。内側部１１２の上端部が上側部１１１の内側端部１１１ａに縫い付け又は接着などによって接続され、内側部１１２が上側部１１１の内側端部１１１ａから垂下されている。外側部１１３の上端部が上側部１１１の外側端部１１１ｂに縫い付け又は接着などによって接続され、外側部１１３が上側部１１１の外側端部１１１ｂから垂下されている。底側部１１７は、内側部１１２の下端部と外側部１１３の下端部とを繋いでいる。底側部１１７の内側端部は、内側部１１２の下端部に縫い付け又は接着などによって接続されている。底側部１１７の外側端部は、外側部１１３の下端部に縫い付け又は接着などによって接続されている。
【００４４】
上側部１１１は、外方向Ｙ’側に凸の略山型とすることが可能である（図８参照）。この場合、上側部１１１の内側端部１１１ａは、直線状に延びており、上側部１１１の外側端部１１１ｂは、前記略山型の稜線に沿った形となっている。内側部１１２の下端部及び外側部１１３の下端部は、中央部が下方向Ｚ’に凸となるように膨出している（図９参照）。底側部１１７の内側端部は、内側部１１２の下端部に沿った形状であり、底側部１１７の外側端部は、外側部１１３の下端部に沿った形状である（図１０参照）。
【００４５】
図示しない別の態様では、上側部１１１、内側部１１２、外側部１１３及び底側部１１７は、略矩形状とすることが可能である。この場合、内側部１１２、外側部１１３は、上側部１１１の内側端部１１１ａ、外側端部１１１ｂから下方向Ｚ’に垂下されており、底側部１１７は、内側部１１２の下端部と外側部１１３の下端部とを繋いでいる。バッグ部１１０’は、一対の側面部を更に有し、側面部が上側部１１１、内側部１１２、外側部１１３及び底側部１１７によって区画される両側の開口を塞ぐように構成されている。
【００４６】
取付孔１１５は、上記何れかの態様の底側部１１７（図１１参照）及び／又は外側部１１３に設けられている。ファン２００は、上記の通り、取付孔１１５の周縁部に固定されている。取付孔１１５が底側部１１７に設けられている場合、ファン２００は、取付孔１１５から下方向Ｚ’に露出している。取付孔１１５が外側部１１３に設けられている場合、ファン２００は、取付孔１１５から外方向Ｙ’に露出している。
【００４７】
装着型送風機Ｄ２は、装着型送風機Ｄ１と同様に、バッテリー３００及び／補強部４００を更に備えていても良いが、これに限定されるものではない。装着型送風機Ｄ２においても、バッテリー３００及び／補強部４００は省略可能である。
【００４８】
以上のような装着型送風機Ｄ２による場合、バッグ部１１０’に取付孔１１５が下方向Ｚ’及び／又は外方向Ｙ’に開口するように設けられている。この取付孔１１５の周縁部にファン２００が固定され、取付孔１１５から露出している。そのため、装着状態で、空気をバッグ部１１０’内に取り込むためのファン２００が、人の邪魔になることはない。
【００４９】
しかも、装着型送風機Ｄ２は、装着状態で、少なくとも一つの排気口１１４が、人の上衣の前身頃及び／又は後身頃の下端より内方向Ｙ側に位置し、前身頃及び／又は後身頃と人の身体との間に空気を送風するようになっている。そのため、人がどのような上衣を着ていても、装着型送風機Ｄ２は、前身頃及び／又は後身頃と人の身体との間に空気を送風することができる。
【００５０】
上側部１１１の引裂強度が内側部１１２の引裂強度よりも大きい場合、上側部１１１が可撓することによって、上側部１１１の少なくとも一つの排気口１１４が潰れ、部分的又は全面的に塞がるのを抑制できる。底側部１１７の引裂強度が、内側部１１２の引裂強度よりも大きい場合、底側部１１７がファン２００を支持する一方で、内側部１１２による人に対する接触感を柔らかくすることができる。
【００５１】
また、補強部４００が設けられている場合、補強部４００によって上側部１１１の少なくとも一つの排気口１１４周りが補強されているので、上側部１１１が可撓することによって、少なくとも一つの排気口１１４が部分的又は全面的に塞がるのを防止することができる。
【００５２】
なお、本発明の装着型送風機は、上記実施例に限定されるものではなく、特許請求の範囲の記載範囲において任意に設計変更することが可能である。以下、詳しく述べる。
【００５３】
本発明のバッグ部は、リジッドな成形樹脂等で構成することが可能である。この場合も、バック部は、上側部１１１、内側部１１２及び外側部１１３を有する構成、又は、上側部１１１、内側部１１２、外側部１１３及び底側部１１７を有する構成とすることが可能である。前者の場合、上側部１１１、内側部１１２及び外側部１１３は、成形樹脂等で構成されている以外、上記の通りの構成とすると良い。後者の場合、上側部１１１、内側部１１２、外側部１１３及び底側部１１７は、成形樹脂等で構成されている以外、上記の通りの構成とすると良い。
【００５４】
本発明のバッグ部は、取付孔が設けられているとしたが、取付孔の代わりに、少なくとも一つの吸気口が設けられていても構わない。この場合、吸気口は、下方向及び外方向の少なくとも一方の方向の成分を含む方向に開口しており、ファン全体が本発明のバッグ部内に収容されており且つ少なくとも一つの吸気口に対向するように配置されていると良い。
【００５５】
本発明の少なくとも一つの排気口は、バッグ部の上側部ではなく、バッグ部の内測部に設けられていても構わない。この場合、排気口は、内測部を貫通し、内方向に開口している。勿論、本発明の排気口が、バッグ部の上測部及び内測部の双方に設けられていても構わない。また、本発明の少なくとも一つの排気口は、メッシュ状とすることが可能である。例えば、バッグ部の上側部及び／又はバッグ部の内測部の一部又は全部をメッシュ生地で構成し、当該メッシュ生地部分を排気口とすることが可能である。又は、排気口は、バック部の上側部及び／又は内側部を貫通した貫通孔と、この貫通孔を閉塞するメッシュ生地とを有する構成とすることも可能である。
【００５６】
本発明の補強部は、バッグ部の上側部の内側端部だけでなく、バッグ部の補強すべき任意の箇所に設けられていても構わない。例えば、補強部は、バッグ部の上側部の内側端部及び中間部に設けられていても良いし、バッグ部の上側部の内側端部及び外側端部に設けられていても良いし、バッグ部の上側部の全領域に設けられていても構わない。また、補強部は、バッグ部の上側部の代わり又はバッグ部の上側部に加えて、バッグ部の内側部、外測部及び／又は底側部に設けられていても構わない。
【００５７】
本発明のウエストバッグは、ベルト部の代わりに、上記した何れかの態様のバッグ部に連結されており且つ人の下衣のベルトループ等に吊り下げ可能なフックが設けられていても構わない。この場合、フックがベルトループ等に吊り下げられることによって、ウエストバッグが人の腰に装着される。
【００５８】
本発明のファンは、少なくとも一つあれば良い。換言すると、本発明のファンは、一又は複数とすることが可能である。ファンが複数である場合、取付孔１１５もファン２００の数に応じて複数とすることが可能である。この場合、上記の通り、ファン２００が取付孔１１５に各々取り付けられた構成とすることが可能である。又は、複数のファンがバッグ部内に収容され、且つ、取付孔の代わりに、少なくとも一つの吸気口が設けられていても構わない。
【００５９】
なお、本発明の内方向は、本発明のウエストバッグを人の腰に装着したときに、ウエストバッグのバッグ部が人に接する方向であれば良い。本発明の外方向は、本発明の内方向の反対方向であれば良い。
【符号の説明】
【００６０】
Ｄ１、Ｄ２：装着型送風機
１００：ウエストバッグ
１１０、１１０’：バッグ部
１１１：上側部
１１１ａ：内側端部
１１１ｂ：外側端部
１１２：内側部
１１３：外側部
１１４：排気口
１１５：取付孔
１１６：線ファスナ
１１７：底側部
１２１：ベルト部
１２２：ベルト部
２００：ファン
２１０：回転羽
２２０：筐体
３００：バッテリー
４００：補強部
４１０：連通孔
【図１Ａ】
0006894651.tif 000002
【図１Ｂ】
0006894651.tif 000003
【図１Ｃ】
0006894651.tif 000004
【図２】
0006894651.tif 000005
【図３】
0006894651.tif 000006
【図４】
0006894651.tif 000007
【図５】
0006894651.tif 000008
【図６】
0006894651.tif 000009
【図７Ａ】
0006894651.tif 000010
【図７Ｂ】
0006894651.tif 000011
【図７Ｃ】
0006894651.tif 000012
【図７Ｄ】
0006894651.tif 000013
【図７Ｅ】
0006894651.tif 000014
【図７Ｆ】
0006894651.tif 000015
【図７Ｇ】
0006894651.tif 000016
【図８】
0006894651.tif 000017
【図９】
0006894651.tif 000018
【図１０】
0006894651.tif 000019
【図１１】
0006894651.tif 000020